(57)【特許請求の範囲】
【請求項１】
背板と、底板と、左右の大襠と、大仕切板とにより上部が開口した箱状の収納部が形成されてなるランドセル本体を備えたランドセルにおいて、
前記大仕切板の横幅を前記背板の横幅よりも幅狭に形成することにより、前記左右の大襠を前記背板側から前記大仕切板側に向かって内側に傾斜させるようにして配置し、前記ランドセル本体の横断面形状を前記背板側が広く前記大仕切板側が狭い台形状に形成すると共に、
前記底板を前記背板側から前記大仕切板側に向かって上向きに傾斜させることにより、前記ランドセル本体を略四角錐台形状に形成し、
一対の背負いベルトの一端側を前記底板に取り付けるために下方向に突設された一対のダルマカンの全体が前記底板の中心よりも前記大仕切板寄りに位置するように配置して形成され、
前記ランドセルを置いた際に、当該一対のダルマカンと前記背板の底辺により、前記ランドセルを安定して置くことができるようにしたことを特徴とするランドセル。
【請求項２】
請求項１に記載のランドセルにおいて、
前記大仕切板の前面に小襠を介して胴前ポケットが取りつけられると共に、前記背板の上端には前記収納部の開口した上面及び前記胴前ポケットを覆うカブセが縫着され、前記胴前ポケットと前記胴前ポケットを覆う部分の前記カブセの横幅とをそれぞれ前記左右の大襠の傾斜に倣うような幅に形成することにより、前記胴前ポケットを覆う状態におけるランドセル全体の横断面形状を、当該胴前ポケットを覆う部分の前記カブセ側が狭く前記背板側が広い台形状に形成したことを特徴とするランドセル。
【発明の詳細な説明】
【技術分野】
【０００１】
本発明は、ランドセルに関し、さらに詳しくは、Ａ４サイズのフラットファイルの程度の大きさの収納物の収納が可能でありながら全体として小型で軽量なランドセルに関する。
【背景技術】
【０００２】
近年では小学校においてＡ４サイズの用紙が使用されることからＡ４サイズのクリアファイルが収納できるランドセルが主流となってきているが、現在ではそれよりもさらに大きなＡ４サイズのフラットファイルが収容可能なランドセルが求められている。しかし、ランドセルの収納空間の全てをＡ４サイズのフラットファイルが収納できるような大きさにしてしまうとランドセル全体が非常に大きなものになってしまい、特に身体の小さな低学年の児童が背負うには問題があった。そのため、例えば、特許文献１では、ランドセルの主収容部にＡ４サイズが収まるような横幅方向に拡開した凸条からなる幅広収納部を設けることが提案されている。また、特許文献２も同様な構造を提案している。
【０００３】
さらに、特許文献１は、諸理由によってランドセルの大きさには制限があることから、ランドセルの背当て面を基準とし、ランドセルの主収納部の底襠の両側辺を背面から前面に向けて外側に広がった台形状に形成し、この底襠の両側辺からそれぞれ立ち上がるようにして側襠を設け、主収納部の前面の内幅が背面よりも幅広となるようにし、さらに底襠が背面から前面に向けて下向きに傾斜する共に、側襠の下底が背面から前面に向けて下向きに傾斜させたランドセルを提案している。
【０００４】
一方、底襠を傾斜させたランドセルとしては特許文献３があるが、特許文献３は特許文献１とは逆に底襠を前面から背面に向かって下向きに傾斜するようにして形成したものである。収納部内に収納した教科書等が背中に対して反対側に倒れると使用者は重量を重く感じるが、底襠をこのように形成することにより収納部内に収納した教科書等が背中側に倒れやすくなるので使用者は重量を軽く感じさせることができるというものである。
【先行技術文献】
【特許文献】
【０００５】
【特許文献１】特開２００５−１０３２４５号公報
【特許文献２】特開２０１４−１８３８５９号公報
【特許文献３】特開２０１４−４２７１３号公報
【発明の概要】
【発明が解決しようとする課題】
【０００６】
しかしながら、特許文献１及び特許文献２に開示された幅広収容部を設けたランドセルは、側面が凹凸になることから製造が面倒であり、デザイン的にも制約が大きいという問題がある。また、特許文献１に開示されたもう一つのランドセルは、背中に背負う背面側からカブセで覆われる前面側に向かって幅広に拡開した台形状に形成すると共に、さらに底襠も背面側から前面側に向かって下向き方向に傾斜した形状となっていることから、背当て面がいかに小さくても前面側が大きく形成されているのでランドセル全体としては大型化することは避けられないばかりか、見た目にも実際よりもさらに大きく感じさせてしまうという問題がある。
【０００７】
一方、特許文献３のランドセルは、底襠を前面から背面に向かって下向きに傾斜するようにして形成することにより収納部内に収納した教科書等が背中側に倒れやすくすることで使用者は重量を軽く感じさせることができるというものであるが、収納物のサイズの問題に起因するランドセル全体の大きさ等の問題点については何ら言及されていない。
【０００８】
そこで、本発明は、Ａ４サイズのクリアファイルはもちろんのこと、Ａ４サイズのフラットファイルを収納することができるランドセルでありながら、コンパクトで見た目に小さく、軽量化が可能であり、しかもデザイン性にも優れたランドセルを提供することを目的とする。
【課題を解決するための手段】
【０００９】
上記課題を解決するために請求項１に記載の本発明は、背板と、底板と、左右の大襠と、大仕切板とにより上部が開口した箱状の収納部が形成されてなるランドセル本体を備えたランドセルにおいて、前記大仕切板の横幅を前記背板の横幅よりも幅狭に形成することにより、前記左右の大襠を前記背板側から前記大仕切板側に向かって内側に傾斜させるようにして配置し、前記ランドセル本体の横断面形状を前記背板側が広く前記大仕切板側が狭い台形状に形成すると共に、前記底板を前記背板側から前記大仕切板側に向かって上向きに傾斜させることにより、前記ランドセル本体を略四角錐台形状に形成し、一対の背負いベルトの一端側を前記底板に取り付けるために下方向に突設された一対のダルマカンの全体が前記底板の中心よりも前記大仕切板寄りに位置するように配置して形成され、前記ランドセルを置いた際に、当該一対のダルマカンと前記背板の底辺により、前記ランドセルを安定して置くことができるようにしたことを特徴とする。
【００１０】
上記課題を解決するために請求項２に記載の本発明は、請求項１に記載のランドセルにおいて、前記大仕切板の前面に小襠を介して胴前ポケットが取りつけられると共に、前記背板の上端には前記収納部の開口した上面及び前記胴前ポケットを覆うカブセが縫着され、前記胴前ポケットと前記胴前ポケットを覆う部分の前記カブセの横幅とをそれぞれ前記左右の大襠の傾斜に倣うような幅に形成することにより、前記胴前ポケットを覆う状態におけるランドセル全体の横断面形状を、当該胴前ポケットを覆う部分の前記カブセ側が狭く前記背板側が広い台形状に形成したことを特徴とする。
【発明の効果】
【００１３】
本発明に係るランドセルによれば、収納部の形状を背板側がＡ４サイズのフラットファイルが収納可能なサイズに幅広とし、大仕切板又はカブセ側に向かって次第に狭くするような断面台形状に形成したので、Ａ４サイズのフラットファイルは背板側に収納し、それよりも小さなサイズのノートや教科書等の収納物は大仕切板側に収納することができると共に、カブセ側が幅狭になっているので見た目にも小さくコンパクトにすることができ、デザイン性にも優れるという効果がある。
【００１４】
また、収納部は背板側より大仕切板側が狭くなるように規制されているのでＡ４サイズのフラットファイルが背板側とは反対側に傾斜したとしても途中で左右の大襠の幅狭部分に阻止されて大きく倒れることが防止されるという効果がある。
【００１５】
さらに、収納部の断面形状をＡ４サイズのフラットファイルが収納可能な横幅を備えた四角形状とした場合に比べて、使用する材料の量も少なくなるので軽量化が可能となるという効果がある。
【００１６】
また、本発明に係るランドセルによれば、さらに、底板を背板側から大仕切板側に向かって上向きに傾斜させてランドセル本体の形状を略四角錐台形状に形成することとしたので、さらに大仕切板及びカブセ側をさらに小さくすることができるという効果がある。
【００１７】
また、本発明に係るランドセルによれば、一対の背負いベルトを底板に取り付けるための取り付け金具を底板の中心よりも大仕切板側寄りに配置したので、ランドセルを置いたときに安定性が向上するという効果があり、特に、底板を背板側から大仕切板側に向かって上向きに傾斜させた場合には取り付け金具の背負いベルトを可動可能に取り付けるために下側に突出したダルマカンと背板の底辺とのバランスが図られるので底板が傾斜していてもランドセルを安定して置くことが可能となるという効果がある。
【図面の簡単な説明】
【００１８】
【図１】本発明に係るランドセルの一実施形態を示す斜視図である。
【図２】図１に示すランドセルの底面図である。
【図３】図１に示すランドセルの収納部を示す平面図である。
【図４】図１に示すランドセルのカブセの形状を示す平面図である。
【図５】図１に示すランドセルの下部側を示す一部拡大側面図である。
【発明を実施するための形態】
【００１９】
以下、本発明に係るランドセルについて図面を参照しつつ詳細に説明する。図１は本発明に係るランドセルの一実施形態を示す斜視図、図２はその底面図である。図示されたランドセル１は、概略として、背板１１と、左右の大襠１２，１２と、大仕切板１３と、そして底板１４により上部が開口した箱状の収納部５が形成されたランドセル本体２を備えている。
【００２０】
ランドセル本体２の収納部５の背板１１側の横幅は内部にＡ４サイズのフラットファイルが収納可能なサイズとされている。そして、大仕切板１３の横幅は背板１１の横幅よりも幅狭に形成されていると共に、左右の大襠１２，１２が背板１１側から大仕切板１３側に向かって内側に傾斜するようにして配置されており、これによりランドセル本体２の横断面形状が、背板１１側が広く大仕切板１３側が狭い台形状に形成されている。尚、左右の大襠１２，１２は、底板１４の左右と連続して一体に形成されており、これら左右の大襠１２，１２と背板１１及び大仕切板１３とは左右の両縁部側において約１ｃｍ程度の幅をもって逢着されている。
【００２１】
また、図２に示すように、ランドセル本体２を構成する底板１４も、背板１１側が広く、大仕切板１３側が狭くなるようにして形成されると共に、底板１４の左右の側縁は大襠１２，１２の底縁に沿うように背板１１側から大仕切板１３側に向かって内側に傾斜した台形状に形成されている。そして、底板１４はそれぞれ背板１１及び大仕切板１３の最下端部と略同じ位置に縫着されている。ランドセル本体２を外側に突出した縫い代部を設けることなく縫着部分をこのようにフラットに形成することで背板１１側の収納部５の高さ（深さ）を最大限に活用することができるのでＡ４サイズのフラットファイルが収納可能でありながらランドセル１の高さを低く抑えることが可能となる。また、大襠１２，１２と底板１４との縫着部分はそれぞれ補強部材１５，１５が取り付けられている。そして、補強部材１５の背板１４側は、背板１４と底板１４との縫着部分及び背板１４と大襠１３との縫着部分の一部をカバーするように延伸して形成されている。
【００２２】
大仕切板１３の前面には小襠２１を介して胴前ポケット２０が取り付けられている。また、背板１１の上端には収納部５の開口した上面及び胴前ポケット２０を覆うカブセ２５が縫着されている。そして、胴前ポケット２０及び胴前ポケット２０を覆う部分のカブセ２５の横幅は左右の大襠１２，１２の傾斜に倣うような幅サイズに形成されている。胴前ポケット２０及びカブセ２５の横幅をこのような幅サイズに形成することにより、ランドセル１全体の横断面形状を背板１１側が広く、カブセ２５側が狭い台形状とすることができる。これにより、収納部５の背板１１側にＡ４サイズのフラットファイルを収納可能な大きさを確保しつつ、背板１１側から胴前ポケット２０を覆っているカブセ２５側に向かって横幅が次第に幅狭となっているのでランドセル１全体をコンパクトで見た目にも小さい形状とすることができる。尚、収納部５の大仕切板１３側が背板１１側よりも狭くなるように規制されているので背板１１側に収納されたＡ４サイズのフラットファイルは背板１１側とは反対側の大仕切板１３側に傾斜したとしても途中で左右の大襠１２，１２の幅狭部分に阻止されて大きく倒れ込むことが防止される。
【００２３】
また、底板１４は、背板１１及び大仕切板１３と直交するように水平に配置することもできるが、図５に示すように、背板１１側から大仕切板１３側に向かって上向きに傾斜させて配置することもできる。底板１４をこのように傾斜させて配置することでランドセル本体２又はランドセル１全体を、背板１４を底面とする略四角錐台形状に形成することができる。すなわち、四角錐台の下底が底板４に相当し、上底が大仕切板１３に相当することになる。このように形成することでランドセル本体２及びランドセル１全体をさらにコンパクトで見た目も小さく形成することが可能となる。
【００２４】
背板１１の上部側の中央には肩ベルトと下ベルトからなる一対の背負いベルト４０，４０の一端側が取り付けられる背環１６が配置されている。そして、底板１４には一対の背負いベルト４０，４０の他端側が取り付けられる取り付け金具３０が配置されている。取り付け金具３０にはカブセ２５の先端側に設けられたロック金具２６ と係合するロック部３１と、一対の背負いベルト４０，４０を可動可能に取り付けるための略円筒形状のダルマカン３２，３２が設けられている。そして、この取り付け金具３０は、底板１４の中心よりも大仕切板１３側寄りに位置するようにして配置されている。取り付け金具３０をこのような位置に配置することによりランドセルを置いたときに安定性の向上を図ることができる。特に、底板１４を背板１１側から大仕切板１３側に向かって上向きに傾斜させたような場合には下方向に突出したダルマカン３２，３２と背板１１の底辺とのバランスが図られるので底板４が傾斜していてもランドセル１を安定して置くことが可能となる。
【００２５】
尚、その他として、ランドセル１は、例えば、収納部５の内側には内張板が配置されていたり、背板１１の外側の使用者の背中に当たる部分には背当てが取り付けられているなど、ランドセル１を構成する部品は多数におよぶものであるが、その他の部分については通常のランドセルと同様であるのでそれらについての説明は省略する。
【００２６】
以上のように、本発明の好ましい実施形態について詳述したが、本発明は詳述した特定の実施形態に限定されるものではなく、特許請求の範囲に記載された本発明の要旨の範囲内において、種々の変形・変更が可能であることはいうまでもない。ランドセル以外にも、例えば、リュックサックなどの背負い鞄についても同様にして適用することが可能である。
【符号の説明】
【００２７】
１      ランドセル
２      ランドセル本体
５      収納部
１１      背板
１２      大襠
１３      大仕切板
１４      底板
１５      補強部材
２０      胴前ポケット
２１      小襠
２５      カブセ
２６      ロック金具
３０      取り付け金具
３１      ロック部
３２      ダルマカン
４０      背負いベルト
【図１】
0006626278.tif 000002
【図２】
0006626278.tif 000003
【図３】
0006626278.tif 000004
【図４】
0006626278.tif 000005
【図５】
0006626278.tif 000006